(57)【要約】【課題】この考案は情報を音声にして伝達するための音声情報伝達装置を提供することにある。【解決手段】音声情報を伝達するための音声情報伝達装置であって、音声情報を繰り返して録音することができる録音部１６と、人体が所定の範囲内近付いたときにその人体を検知する人体検知センサ３と、人体検知センサが人体を検知したときにその検知信号によって録音部を作動させて録音部に録音された音声情報をスピーカ４から出力させる駆動制御部１５を具備する。【選択図】      図３
0003154298.tif 000002
【実用新案登録請求の範囲】
【請求項１】
音声情報を伝達するための音声情報伝達装置であって、
上記音声情報を繰り返して録音することができる録音部と、
人体が所定の範囲内近付いたときにその人体を検知する人体検知センサと、
この人体検知センサが人体を検知したときにその検知信号によって上記録音部を作動させてこの録音部に録音された上記音声情報をスピーカから出力させる駆動制御部と
を具備したことを特徴とする音声情報伝達装置。
【請求項２】
箱型状の装置本体を有し、上記録音部、駆動制御部及びスピーカは上記装置本体内に設けられ、上記センサは上記装置本体の前面に設けられていることを特徴とする請求項１記載の音声情報伝達装置。
【請求項３】
上記装置本体の背面には、この装置本体を被取付け部に保持するための磁石又は吸盤のいずれかの保持手段が設けられていることを特徴とする請求項１又は２記載の音声情報伝達装置。
【請求項４】
上記録音部に接続された録音用のマイクと、このマイクを通じて上記録音部に音声信号を録音するときに上記録音部を作動させる録音スイッチを備えていることを特徴とする請求項１乃至３のいずれかに記載された音声情報伝達装置。
【考案の詳細な説明】
【技術分野】
【０００１】
この考案はたとえば不在時の来訪者や作業現場を通る人などに対して必要と思われる情報を音声によって伝達する音声情報伝達装置に関する。
【背景技術】
【０００２】
たとえば集合住宅内の管理室に外部からの来訪者が訪れた際、管理人が不在であると、来訪者に不便な思いをさせることになるから、集合住宅を管理する管理会社としては管理人の不在時におけるサービスの向上が求められることになる。
【０００３】
したがって、そのような場合には管理室の窓口などに管理人が不在であること、及び管理人への連絡先を表示した表示板を置いておくことなどが行われる。
【０００４】
また、集合住宅内の共有部分や公共の場所などで清掃作業や補修作業などを行っている場合、作業現場から作業者が不在になるとき、住人や通行人などが、たとえば駐車中の車を退けてほしいなどの要望を伝えたい場合に連絡が取れずに不便であったり、不快な思いをさせることがあるから、作業関係者は地域住民などといつでも容易かつ確実に連絡を取れるようにすることが求められる。
【０００５】
しかも、作業現場がたとえばエレベータの補修工事を行っている場所などのように、危険を伴う場所である場合、作業現場に近付いた住人や来訪者に対して現場の状況を確実に伝達しなければ、事故の発生を招くという虞がある。
【０００６】
したがって、これらの場合には作業現場に作業内容や注意を喚起することを書いた看板を設けたり、作業現場に不用意に近付くことがないようカラーコーン（登録商標）を設けるなどのことが行われている。カラーコーンを用いて危険を知らせる従来技術は特許文献１に示されている。
【先行技術文献】
【特許文献】
【０００７】
【特許文献１】特開平１１−７８１０号公報
【考案の概要】
【考案が解決しようとする課題】
【０００８】
表示板やカラーコーンを用いて種々の情報を伝達する場合、管理事務所や作業現場などに近付く来訪者や地域住民などの視覚に頼ることになる。視覚に頼った情報伝達の場合、表示板やカラーコーンを見落とすことがあるから、必要な情報を相手に確実に伝達することができないということがある。しかも、視覚が不自由な人にとっては情報を確実に把握することができないということもある。
【０００９】
この考案は、管理事務所や作業現場などの場所に外部の人が近付いてきたとき、それぞれの場所での必要な情報を音声によって伝達することができるようにした音声情報伝達装置を提供することにある。
【課題を解決するための手段】
【００１０】
この考案は、音声情報を伝達するための音声情報伝達装置であって、
上記音声情報を繰り返して録音することができる録音部と、
人体が所定の範囲内近付いたときにその人体を検知する人体検知センサと、
この人体検知センサが人体を検知したときにその検知信号によって上記録音部を作動させてこの録音部に録音された上記音声情報をスピーカから出力させる駆動制御部と
を具備したことを特徴とする音声情報伝達装置にある。
【００１１】
箱型状の装置本体を有し、上記録音部、駆動制御部及びスピーカは上記装置本体内に設けられ、上記センサは上記装置本体の前面に設けられていることが好ましい。
【００１２】
上記装置本体の背面には、この装置本体を被取付け部に保持するための磁石又は吸盤のいずれかの保持手段が設けられていることが好ましい。
【００１３】
上記録音部に接続された録音用のマイクと、このマイクを通じて上記録音部に音声信号を録音するときに上記録音部を作動させる録音スイッチを備えていることが好ましい。
【考案の効果】
【００１４】
この考案によれば、人体が所定の範囲に近付くと、そのことを人体検知センサで検知して録音部に録音された音声情報をスピーカから出力されるため、種々の情報を音声情報として相手に伝達することができる。
【００１５】
しかも、録音部に録音する音声データを書き換えることができるから、相手に伝達する音声情報を、音声情報伝達装置の設置場所や用途に応じて変更することができる。
【図面の簡単な説明】
【００１６】
【図１】この考案の一実施の形態を示す音声情報伝達装置の斜視図。
【図２】音声情報伝達装置の正面図。
【図３】音声情報を録音・出力するための電気系統のブロック図。
【図４】（ａ）は音声情報伝達装置をマンションなどの管理人室の窓口の置いた状態を示す斜視図、（ｂ）は音声情報伝達装置を駐車中の車に保持した状態を示す斜視図。
【図５】（ｃ）は音声情報伝達装置を集合住宅の共有部分の廊下に保持した状態を示す斜視図、（ｄ）は音声情報伝達装置を集合住宅の廃品回収場所の扉に保持した状態の斜視図、（ｅ）は音声情報伝達装置を修理点検を行っているエレベータの扉の脇に保持した状態の斜視図。
【考案を実施するための最良の形態】
【００１７】
以下、この考案の一実施の形態を図面を参照しながら説明する。  
図１はこの考案の音声情報伝達装置１を示す斜視図であり、図２には正面図である。音声情報伝達装置１は前面ケース２ａと背面ケース２ｂを一体化した薄い箱型状の装置本体２を有する。
【００１８】
上記装置本体２の前面上部には赤外線などによって人体を検知する人体検知センサ３が設けられている。上記装置本体２の前面中途部にはスピーカ４が設けられ、スピーカ４の下方にはＬＥＤランプからなる複数の録音表示ランプ５及び録音用のマイク６が順次設けられている。上記録音表示ランプ５は後述する録音時に点灯するようになっている。
【００１９】
上記人体検知センサ３の側方にはインジケータランプ７が設けられ、人体が所定の範囲内に近付いて上記人体検知センサ３が人体を検知すると、インジケータランプ７が点灯するようになっている。
【００２０】
上記装置本体２の一側面には上部から電源スイッチ１１、録音スイッチ１２及び上記スピーカ４から出力される音声情報の出力調整用のボリューム１３が順次設けられている。上記録音スイッチ１２は、装置本体２の側面から内方へわずかに凹んだ位置に設けられていて、突起物などによって押圧して操作するようになっている。つまり、上記録音スイッチ１２は不用意に操作されることがないようになっている。
【００２１】
上記装置本体２の背面には図示しない取付け部が設けられ、この取付け部には装置本体２を適所に保持するための保持手段としての吸盤１４が着脱可能に設けられている。保持手段としては吸盤１４に代えて磁石やクリップなどであってもよい。吸盤１４であれば装置本体２をガラス面や平滑な壁面などに吸着保持することができ、磁石であれば鉄製の柱や梁或いは車体などに保持することができる。クリップであれば、ロープや作業者の後ポケットなどの、クリップを係止させることができる箇所に保持することができる。
【００２２】
図３は電気系統のブロック図を示す。上記人体検知センサ３が所定の範囲内に近付いた人体を検知したとき、その検知信号Ｓは駆動制御部１５に出力される。検知信号Ｓが入力した駆動制御部１５は駆動信号Ｄを録音部１６に出力する。
【００２３】
上記録音部１６に駆動信号Ｄが入力されると、この録音部１６が作動して予め録音された音声情報Ｉが増幅器１７で増幅されて装置本体２の前面に設けられた上記スピーカ４から出力されるようになっている。
【００２４】
上記録音部１６には上記マイク６が接続されていて、上記録音スイッチ１２を押しながら上記マイク６に向かって音声Ｖを入力することで、その音声Ｖを上記録音部１６に記録することができるようになっている。
【００２５】
上記録音部１６には音声Ｖを約１０秒間録音することができるようになっていて、録音内容は何回でも書き換えることができるようになっている。つまり、録音部１６に録音すれば、最新の音声情報だけが残り、前に録音されていた録音情報は消去されるようになっている。
【００２６】
なお、音声情報伝達装置１の装置本体２内には電池（図示せず）が内蔵されていて、上記電源スイッチ１１をオンすることで、音声情報伝達装置１を作動させることができるようになっている。
【００２７】
つぎに、上記構成の音声情報伝達装置１の使用例について図４（ａ），（ｂ）と図５（ｃ）〜（ｅ）を参照しながら説明する。図４（ａ）はマンションなどの管理人室２１の窓口２２に上記音声情報伝達装置１を設置した例で、その録音部１６には音声情報Ｉとしてたとえば、「ただいま、巡回中です。御用の方は携帯の○○…番へお電話ください。」との音声情報が録音されている。
【００２８】
そして、来訪者が窓口２２に近付き、音声情報伝達装置１の人体検知センサ３が来訪者を検知すると、その検知信号Ｓが駆動制御部１５に入力され、この駆動制御部１５から駆動信号Ｄが録音部１６に出力される。
【００２９】
それによって、録音部１６が作動してこの録音部１６に録音された上記音声情報がスピーカ４から出力されるから、来訪者は管理人室２１に管理人が不在であること、及び管理人への連絡先を知ることができる。
【００３０】
なお、この実施の形態では音声情報伝達装置１を窓口２２に設置しているが、窓口２２のガラス板に吸盤１４によって吸着保持するようにしてもよい。
【００３１】
図４（ｂ）は作業者が車２３を路上に止めて室内や近くの現場などで作業するような場合であって、そのような場合には音声情報伝達装置１を車体に吸着保持しておく。音声情報伝達装置１を車体に吸着保持する保持手段としては吸盤１４或いは磁石のどちらであってもよい。
【００３２】
上記音声情報伝達装置１の録音部１６には、たとえば「ただいま○○の場所で作業中です。車が邪魔な場合にはすぐに移動させますので、携帯の○○…番へお電話ください。」との音声情報Ｉを録音しておく。
【００３３】
それによって、通行人や作業現場付近の人が車２２を退けてもらいたいと思って車２２に近付いた場合、上記音声情報伝達装置１のスピーカ４から出力される音声情報Ｉによって作業者に連絡を取ることができるから、周囲の人などに迷惑をかけることなく作業を行なうことが可能となる。
【００３４】
図５（ｃ）は集合住宅の共有部分、たとえば廊下２４の床面の清掃作業をする場合であって、そのような場合には上記音声情報伝達装置１を廊下２４の端の壁面に保持しておく。上記音声情報伝達装置１の録音部１６には、たとえば「ただいま、清掃中です。足元にお気をつけてください。」などの音声情報Ｉを録音しておく。
【００３５】
それによって、集合住宅の住人や外部の人などが廊下２４に近付けば、音声情報伝達装置１のスピーカ４から出力される音声情報Ｉによって清掃作業が行われていることを確実に知ることができる。
【００３６】
図５（ｄ）はたとえば集合住宅の廃品回収場所２５の扉２６に音声情報伝達装置１を吸盤１４や磁石などの保持手段によって保持した場合で、その録音部１６には、たとえば「ごみはきちんと分別しましょう」との音声情報Ｉが録音されている。
【００３７】
それによって、集合住宅の住人がごみを廃棄しにきたとき、音声情報伝達装置１から出力される音声情報Ｉによってごみを分別して廃棄することが促されるから、不適切な廃棄をする人をなくすることができるようになる。
【００３８】
図５（ｅ）はエレベータ２８の修理点検を行う場合であって、音声情報伝達装置１をエレベータ２８の扉の脇の壁面などに吸盤１４によって吸着保持しておく。音声情報伝達装置１の録音部１６には、たとえば「ただいま、エレベータは修理点検中です」の音声情報Ｉを録音しておく。それによって、作業者が現場から離れたときに、住人や来訪者などがエレベータ２８に近付くと、エレベータ２８が修理中であることが知らされるから、安全を確保することができる。
【００３９】
このように、上記構成の音声情報伝達装置１によれば、録音部１６に音声情報Ｉを録音して設置しておけば、その音声情報伝達装置１に人が近付き、そのことを人体検知センサ３が検知することで、上記録音部１６に録音された音声情報Ｉがスピーカ４から出力される。
【００４０】
したがって、情報を従来の視覚に頼る表示方式から音声によって伝達することができるから、情報の伝達を確実に、しかも視力の低下した人などであっても間違えなく伝達することができる。
【００４１】
上記音声情報伝達装置１の録音部１６には録音用のマイク６と録音スイッチ１２が接続されていて、上記録音部１６に録音される音声情報Ｉを書き換えることができる。そのため、音声情報伝達装置１を同じ場所に設置しておく場合であっても、日毎に伝達したい情報が変わる場合などには、伝達したい情報を録音し直すことができるから非常に便利である。
【００４２】
また、音声情報伝達装置１の設置場所を代え、設置場所に応じて異なる音声情報Ｉを伝達したい場合には、その場所に応じた音声情報Ｉを録音し直すことで、音声情報Ｉの伝達を確実に行うことができる。
【００４３】
すなわち、音声情報伝達装置１の録音部１６には音声情報Ｉを繰り返して録音することができるから、伝達したい情報を録音し直すことで、設置場所や月日に係らずに利用することが可能となる。
【００４４】
上記音声情報伝達装置１は薄い箱型状の装置本体２に収められている。そのため、音声情報伝達装置１の持ち運びや設置などの取り扱いを容易に、しかも確実に行なうことができる。
【符号の説明】
【００４５】
２…装置本体、３…進退検知センサ、４…スピーカ、６…マイク、１２…録音スイッチ、１４…吸盤（保持手段）、１５…駆動制御部、１６…録音部。
【図１】
0003154298.tif 000003
【図２】
0003154298.tif 000004
【図３】
0003154298.tif 000005
【図４】
0003154298.tif 000006
【図５】
0003154298.tif 000007